(57)【要約】      （修正有）【課題】平面でありながら凹凸感のある画像を表面に有する化粧シート或いは化粧板の製造方法を提供する。【解決手段】高さの異なる範囲が離散的に存在するテクスチャー題材の画像データから、離散的に存在する指定の高さからなる範囲の輪郭を閉曲線により特定する。閉曲線で囲まれた範囲と他の範囲の高さの異なる支持体を作成し、支持体に対してテクスチャー題材の画像データを印刷して撮像用模型１０を作成する。撮像用模型１０の閉曲線で囲まれた範囲を定義する側面１２に光を当てた状態で、当該側面１２が写り込むように写真撮影してテクスチャー素材を作成する。作成されたテクスチャー素材をシート又は板に印刷して化粧シート又は化粧板を作成する。【選択図】図３
2014080784.tif 000002
【特許請求の範囲】
【請求項１】
高さの異なる範囲が離散的に存在するテクスチャー題材の画像データから、離散的に存在する指定の高さからなる範囲の輪郭を閉曲線により特定し、
前記閉曲線で囲まれた範囲と他の範囲の高さの異なる支持体を作成し、
前記支持体に対して前記テクスチャー題材の画像データを印刷して撮像用模型を作成し、
前記撮像用模型の前記閉曲線で囲まれた範囲を定義する側面に光を当てた状態で、当該側面が写り込むように写真撮影してテクスチャー素材を作成し、
前記テクスチャー素材をシート又は板に印刷して化粧シート又は化粧板を作成することを特徴とする化粧シート又は化粧板の製造方法。
【請求項２】
前記支持体の表面及び前記閉曲線で囲まれた範囲を定義する側面が、前記テクスチャー題材の画像データとは無関係に表面を荒らすことを特徴とした請求項１に記載された化粧シート又は化粧板の製造方法。
【請求項３】
前記支持体の表面を白色に着色してから、前記テクスチャー題材の画像データを印刷することを特徴とする請求項１或いは請求項２に記載された化粧シート又は化粧板の製造方法。
【請求項４】
前記閉曲線で囲まれた範囲を板から切り出して、ベースに対して貼りつけることにより前記支持体を作成することを特徴とする請求項１ないし請求項３のいずれかひとつに記載された化粧シート又は化粧板の製造方法。
【発明の詳細な説明】
【技術分野】
【０００１】
本発明は、平面でありながら凹凸感のある画像を表面に有する化粧シート又は化粧板の製造方法に関する。
【背景技術】
【０００２】
ベース上に形成された光硬化性樹脂に対して原版フィルムを介して紫外線の照射を行い、この後に光硬化性樹脂の未露光部を除去することで、紫外線が照射された部位を突出形成する技術が特許文献１に記載されている。
【０００３】
この技術において、例えば石垣の写真を白黒の２階調とした原版フィルムを用いると、暗い箇所はベース上で凹み、明るい箇所はベース上で突出した凹凸面を得ることができる。通常、石垣の凹んだ部分は影の部分は暗く、一方、突出した部分は光が当って明るくなっており、概ね石垣の凹凸が白黒として現れた原版フィルムを作ることができる。この原版フィルムを利用して作成したベース上の凹凸面に対して、凹凸面への印刷が可能なインクジェットプリンタにより石垣の写真画像を印刷すれば、石垣の凹凸を再現したテクスチャーをもつ立体素材を得ることが出来る。
【０００４】
このようなテクスチャーをもつ立体素材を多数枚用意して、建物の壁や柱などに化粧シートとして貼り付けると、表面が凸凹した壁や柱に装飾することができる。
【０００５】
図４Ａは、このようにして作成された立体素材の写真を示している。石垣のカラー写真を白黒の２階調にした原版フィルムを用いているため、石の間の凹んで暗くなっている部分の他に、石の表面の色の濃い部分も凹面としてベース上に作成されるため、全体として石の輪郭となっている凹みと同じような高さになっている。このため、図４Ａのように写真をとると元の写真よりも輪郭が薄れている。従って、近くでみると表面の凸凹感は感じられるものの遠くからみると、元の写真を貼ったのと同様の装飾効果しか得られない。
【０００６】
特許文献２には、写真の部分を切り抜き、糊で厚みを増しながら重ね合わせて接着して立体的な標本プリントを製作する技術が開示されている。この技術を利用することにより、大きな石の部分だけを立体的に切り出して、３次元素材を作ることができる。この技術によれば、大きな石の表面に色の濃い部分があっても、大きな石の間の凹みと高さを変化させることができる。しかしながら、離れて正面から見ると立体感は失われる。
【先行技術文献】
【特許文献】
【０００７】
【特許文献１】特開２０００−６６６１８号公報
【特許文献２】特開２０００−３４７５６１号公報
【発明の概要】
【発明が解決しようとする課題】
【０００８】
凹凸のある３次元的なテクスチャーをもつ化粧シートの製作においては、凹凸面を有するベース作成或いは、大量に生産するときは凹凸のある型を利用したエンボス加工を必要とし、また凹凸面に対するプリントにもコストが掛かる。このような凹凸のある化粧シートではなく、平面でありながら立体的に見える画像がテクスチャーとして印刷された化粧シートであれば、視点からの距離によらず立体的に見えコストは大幅に削減される。
【０００９】
しかしながら、写真の原画そのままを化粧シートとして使用するのでは、立体感が得にくい。近年、コンピュータにインストールされる画像処理ソフトウェアにより、写真画像に対して陰影処理をしてより立体的な画像に処理することが行われている。図４Ｂは、画像処理ソフトウェア（「フォトショップ」、アドビシステムズインコーポレイテッドの登録商標）により処理した写真を示す。画像処理ソフトウェアは、影にしたい部分を暗くし、明るい部分はより明るくして物体の陰影を強調し、或いは影を加筆する処理であるが、コンピュータの操作者による技量によって画像の出来栄えが左右され、かつ作り物のように見える。本発明においては、この様な課題を克服し、平面でありながら凹凸感のある画像を表面に有する化粧シート或いは化粧板の製造方法を提供するものである。
【課題を解決するための手段】
【００１０】
本発明の化粧シート又は化粧板の製造方法は、高さの異なる範囲が離散的に存在するテクスチャー題材の画像データから、離散的に存在する指定の高さからなる範囲の輪郭を閉曲線により特定し、前記閉曲線で囲まれた範囲と他の範囲の高さの異なる支持体を作成し、前記支持体に対して前記テクスチャー題材の画像データを印刷して撮像用模型を作成し、前記撮像用模型の前記閉曲線で囲まれた範囲を定義する側面に光を当てた状態で、当該側面が写り込むように写真撮影してテクスチャー素材を作成し、前記テクスチャー素材をシート又は板に印刷して化粧シート又は化粧板を作成することを特徴とする。
【発明の効果】
【００１１】
本発明によれば、画像処理ソフトウェアの操作に熟練していなくても、平面でありながら凹凸感のある素材画像を作ることが出来る。この素材画像を利用することにより、平面でありながら、３次元的なテクスチャーを有する化粧シート又は化粧板を製造することができる。
【図面の簡単な説明】
【００１２】
【図１】テクスチャーの題材となる石垣の原写真と凸部の輪郭を表す図である。
【図２】凸部の輪郭を切り取り、ベースに貼り付ける様子を示す図である。
【図３】輪郭に光が入るように写真を撮る様子を示す図である。
【図４】完成したテクスチャー画像とシートを示す図である。
【図５】比較例を示す図である。
【発明を実施するための最良の形態】
【００１３】
以下、本実施例について説明する。
図１Ａは、テクスチャー画像として取得する石垣の画像データである。石垣は、大きな石１が積み重ねられ、大きな石１と大きな石１の隙間に多数の小さな石２が埋められている。この写真において、石垣の３次元的な構成は、大きな石１が手前側に突出し、隙間（小さな石２を含めて）が凹んでいる。本実施例においては、この３次元的な構成を凡そ大きな石１（高い面）が離散的に配置されており、それ以外の部分（低い面）とにより構成された２階層の面を有するテクスチャーであると捉える。
【００１４】
図１Ｂは、高い面を構成する大きな石１の輪郭３を抽出した状態を示している。石垣の画像データから輪郭３を抽出する作業は、画像処理を行うコンピュータプログラムを用いても良いが、石垣の写真を用いてオペレータが大きな石１の輪郭３をフリーハンドでトレースしても良い。正確に輪郭３を抽出してもフリーハンドによる凡その輪郭３であっても、最終的に化粧シートにした場合にさして差がないので、必ずしも正確に輪郭３を抽出する必要がないのである。一つの輪郭３は、ある高さを表す面として捕らえるため、必ずループ状の閉曲線である必要がある。
【００１５】
図２Ａは、抽出した輪郭３に沿ったパターン５を板４から切り出す様子を示している。板４の厚さが、大きな石１の表面の高さを表すことになる。閉曲線で閉じられたパターン５の切り出しに関しては、ウォータジェット加工や刃物を用いた機械的な加工や、化学的な切断方法を利用できる。
【００１６】
図２Ｂは、切断したパターン５を互いの位置関係を保ちながら、ベース６に貼り付けている様子を示している。このようにして、ベース６の表面（低い面）と、これから１段ステップ状に立ち上がったパターン５の表面との２階層の凹凸面を有する支持体１１を作る。この状態で、夫々の表面を元のテクスチャー題材の表面形状と無関係に適当に荒らして、細かな凹凸をつけても良い。
【００１７】
そして、支持体１１の表面が、白の色相を有するものでなければ、表面全体を白に着色して下地を作る。下地の上から、凹凸面への印刷が可能なインクジェットプリンタによりテクスチャー画像を印刷する。この際、パターン５のエッジ部分は、ほぼ垂直に立ち上がっているためインクジェットプリンタによる着色が付着しにくく、ほぼ下地の白いまま残る。
【００１８】
次に、完成した撮像用模型１０に一方向から光Ｌを当て、ベース６に貼られたパターン５の側面１２が見えるような一定の角度から撮像装置ＩＭにより写真撮影する。図３は、図２ＢのＸ−Ｘ断面である。光がパターン５の側面１２に当っており、その側面１２が見えるように写真撮影する。
【００１９】
パターン５の側面１２は、インクジェットのインクでやや汚染されているとは言えほぼ白く、パターンの輪郭が白く浮き出て強調された画像を取得できる。また、パターン５の側面１２は曲面となっており、光の当る角度により同じ白色でも濃淡ができるため、自然な感じを出すことができる。この写真の画像データがテクスチャー素材７である。
【００２０】
パターン５の側面１２表面をテクスチャー題材の表面形状と無関係に適当に荒らした状態にしておけば、細かな表面粗さが影とし現れるため、石の質感がさらに自然に表現することができる。
【００２１】
このようにして得られたテクスチャー素材７を図４Ａに示す。大きな石１の輪郭３が白く強調されており、自然な立体感を表現している。尚、図４Ａのテクスチャー素材７を詳細に見ると必ずしも大きな石の輪郭を表す白色の箇所が、本来の石の輪郭の位置ではなく、石と石との間の部分に跨っているのが観察（例えば、図中、箇所Ｐ）できるが、このように図１Ｂにおける輪郭３の設定は、厳密でなくとも、図４Ａのテクスチャー素材７の良否にはさほど影響しない。
【００２２】
このようにして得られたテクスチャー素材７をシートに印刷して化粧シートを作成したり、あるいは表面にランダムなエンボスが設けられた板８（例えばメラミン板）にテクスチャー素材７が印刷されたシート９を貼り付けて（図４Ｂ）化粧板を作成する。
【００２３】
上記実施例においては、テクスチャー題材を２階層の面として捕らえて、テクスチャー素材を作成したが、大きな石、小さな石、隙間の３階層の面として捉えても良い。この場合、小さな石２のパターンは、大きな石１のパターン５に用いられた板４よりも薄い板を利用して作成し、ベース６に貼り付けることにより、撮像模型を作成する。また、テクスチャー題材としてピラミッドや等高線図のように閉曲線が囲まれた複数面が積み重ねられた複数階層として捉える場合は、パターンを重ねあわせて撮像用模型を作成する。
【００２４】
上記実施例においては輪郭３を板４から切り出したが、輪郭３の部分をベース４に盛り上げるようにしても良い。この場合、特許文献１に記載された技術を利用し、特許文献１の原版フィルムとして、輪郭３で囲まれた範囲以外の範囲を黒く塗りつぶした原版フィルムを用いることができる。また、輪郭３が切り抜かれた板４をベース６に貼り付けて撮像用模型を作っても良い。
【００２５】
上記実施例においては、テクスチャーの題材として石垣を用いたが、石積みの他に煉瓦積み、ブロック積み、タイル貼り面など、又は自然物では実が整列したトウモロコシなど高さが異なる範囲が離散的に存在した対象であればテクスチャーの題材として利用でき、およそ異なる階層の面で構成される平面形状をテクスチャー素材として取得することができる。
【符号の説明】
【００２６】
１  大きな石
２  小さな石
３  輪郭
４  板
５  パターン
６  ベース
７  テスクチャー素材
８  メラミン板
９  シート
１０  撮像用模型
１１  支持体
【図１】
2014080784.tif 000003
【図２】
2014080784.tif 000004
【図３】
2014080784.tif 000005
【図４】
2014080784.tif 000006
【図５】
2014080784.tif 000007